(57)【要約】【課題】製造の簡易化により安価での供給、使用の簡便化を図り、取り替えという新たな使用方法を提案すると共に、残液の確認が容易であり、取り替え時期の判別が容易である液体薬剤の揮散装置を提供すること。【解決手段】液体不透過性素材により構成された容器が、全周熱シールされる事により封止され、上部に懸垂口となる加工が施され、下部に排出口となる部材をシールされているとともに、排出口となる部材の先端部には滴下手段が封入され、滴下手段において液剤の定量的な滴下となるよう設定されている。内容された液剤に対しては閉塞手段が形成されており、閉塞手段を開通する事で即座に滴下が開始され、アイキャッチの設置、使用方法を吊り下げ方式とすることで残液量を明確化した液体薬剤取り替え容器。【選択図】図１
2015066409.tif 000002
【特許請求の範囲】
【請求項１】
不透過性素材により構成された液体容器と、液体を排出する排出口で構成された液体薬剤取り替え容器であって、使用前に滴下されないよう閉塞手段を設け、排出口の先端に滴下量を定量化するための滴下手段を封入した事を特徴とし、懸垂口を設置したことで、吊り下げ方式にて使用することを可能としたことを特徴とする液体薬剤取り替え容器。
【請求項２】
液体容器、排出口の素材をポリオレフィン製としたことを特徴とする請求項１記載の液体薬剤取り替え容器。
【請求項３】
滴下手段を焼結体とし、素材をセラミックス製としたことを特徴とする請求項１、２記載の液体薬剤取り替え容器。
【請求項４】
滴下手段に使用される焼結体のポア径を１〜５μｍとしたことを特徴とする請求項３記載の液体薬剤取り替え容器。
【請求項５】
滴下手段に使用される焼結体の滴下箇所表面積を７０〜９０ｍｍ２としたことを特徴とする請求項３記載の液体薬剤取り替え容器。
【請求項６】
アイキャッチを設置したことを特徴とする請求項１、２、３、４、５項記載の液体薬剤取り替え容器
【発明の詳細な説明】
【技術分野】
【０００１】本発明は液体薬剤揮散容器に関し、特に、閉塞手段を開通するだけで滴下、揮散を開始して使用を開始することのできる液体薬剤揮散取り替え容器に関する。
【従来技術およびその問題点】
【０００２】一般に、液体薬剤を収納させて揮散させるようになっている液体薬剤揮散容器にあっては、液体薬剤が貯留されている容器本体、中栓、吸い上げ体、キャップ、受け皿セット、揮散体、カバー等から構成されている。
【０００３】そして、使い始めるときにはカバー、キャップ等を外し、吸い上げ体と揮散体が接触するようにした後、再びカバー等をセットし直して組み立てるようになっており、組立てから揮散を開始するようになっている。
【０００４】したがって、使用を開始するにはセットし直したりするので揮散を開始するまで非常に手間がかかるという問題を有していた。
【０００５】また、容器本体を繰り返し使用する詰め替え型のものもあるが、詰め替え型のものは詰め替え時に容器本体、揮散体をカバーや受け皿等から外して新しいものに代える等するので、やはり揮散を開始するのに非常に手間がかかるという問題を有している。
【先行特許文献】
【０００６】特許文献１、及び２に挙げられる発明は液体薬剤を吸い上げる機構を設けており、これらの発明においては使用終わりの判断が難しく、残液があっても捨ててしまう。もしくは、液が無くなっていても気が付かないという事が生じている。
【特許文献１】特許第４０１７７５９号
【特許文献２】特許第５１９１０９５号
【０００７】この発明の目的は、部品点数を少なくして使用に簡便をはかるとともに、製造の簡易化を図り、製造コストを低くすることができ、内容液を使いきる液体薬剤揮散容器を提供する。
【０００８】この発明の他の目的は、取り替えという新たな使用方法を提案すると共に、さらに、使用を開始するときも非常に簡単に行うことができ、残液の確認が容易であり、取り替え時期の判別が容易である液体薬剤の揮散装置を提供することにある。
【問題を解決するための手段】
【０００９】上記の問題点を解決するためにこの発明は、液体不透過性素材により構成された容器が、全周熱シールされる事により封止され、上部に懸垂口となる加工が施され、下部に排出口となる部材をシールされているとともに、排出口となる部材の先端部には滴下手段が封入され、滴下手段において液剤の定量的な滴下となるよう設定されている。内容された液剤に対しては閉塞手段が形成されており、閉塞手段を開通する事で滴下が開始されることを特徴としている。
【００１０】また、液剤の閉塞手段を形成したことを特徴としているが、この閉塞手段は容器本体、又は排出口に施されても良く、また、閉塞手段として排出口先端に封入される滴下手段にプラスチックシート等を張り付ける等の封止手段を用いても良い。
【００１１】また、上部に懸垂口となる加工が施されていることを特徴としており、フック等の吊り下げ手段を用いて使用をする方式となっている。このことにより取り替えが容易となり、かつ吊り下げ式となるため残液の確認が容易となり、取り替え時期の判別が容易となる。
【００１２】さらに、開放時、残液の確認を容易とするため、液剤よりも比重の低い素材により構成されたアイキャッチ手段を用いても良い。
【作用】
【００１３】上記手段を採用したことにより本発明は、吊り下げ式であるため、閉塞手段を開放する事で、即座に定量的に滴下を開始し、揮散が開始される。また、取り替えに手間が無く、残液量の判別も容易であることで、便利性が高まっている。
【発明を実施するための形態】
【００１４】以下、図面に示す本発明の形態について説明する。
図１乃至図２は本発明による液体薬剤揮散取り替え容器の第１、乃至２の実施の形態が示されている。
【００１５】この発明による液体薬剤揮散取り替え容器１の第１の実施の形態にあっては、容器本体２は液体不透過性素材であり、排出口４と、滴下手段７で構成されている。
【００１６】容器本体２は内部に収納される液体薬剤に対し不透過な素材により、上部に懸垂口３を設け、下部が開口した形状に形成するよう熱シールされている。容器本体２の素材としては、金属、ガラス、陶器、及びこれらの内面に樹脂コートしたもの、プラスチック等を用いることができる。好ましい素材としてはシクロオレフィン、ＰＰ、ＰＥ、ＰＥＴ、ＮＹ、塩ビ、ＥＶＡ等であり、より好ましくは透明性が高いシクロオレフィン、ＰＰ、ＰＥ等のポリオレフィン製であり、各種材料を積層したもの等のプラスチックシートである。
【００１７】排出口４は容器本体２内部に収納される液体薬剤を排出するための部材であり、容器本体２下部に形成された開口部に熱溶着される。排出口４の素材としては、容器本体２の内面と同様の素材が好ましく、プラスチック等を用いる事が出来る。好ましい素材としてはシクロオレフィン、ＰＰ、ＰＥ、ＥＶＡ等であり、より好ましくは弾性率が高いシクロオレフィン、ＰＰ、ＰＥ等のポリオレフィン製であり、各種材料を積層した成型品を用いる事も出来る。
【００１８】排出口４内部に設置される閉塞手段５は、排出口４成型後に、容器本体２と溶着する前に、排出口４と閉塞手段５を容易に開封する程度に溶着される。溶着される強度は容易に開封できる強度であることが望ましく、１〜１０Ｎ／１５ｍｍ（１Ｋｇ／１５ｍｍ巾＝９．８Ｎ／１５ｍｍ）が好ましく、より好ましくは２〜５Ｎ／１５ｍｍの強度で溶着されている事が望ましい。
【００１９】閉塞手段５に用いられる素材は、排出口と同じ素材である事が好ましい。好ましい素材としてはＰＰ、ＰＥ、ＥＶＡ等であり、より好ましくは易開封性を付与されたプラスチックシートである。
【００２０】排出口４先端部に封入される滴下手段７は、滴下手段７を成型後、排出口４に嵌合させることで形成しても良いが、より好ましくは排出口４に、成型された滴下手段７をインサート成型させることで形成する。インサート成型される事で滴下手段７が脱落する危険性を回避する事が可能になる。
【００２１】滴下手段７に用いられる素材は、容器本体２内部に収納される液体薬剤の滴下液量が一定となる素材であれば限定されないが、例えば多孔性樹脂、焼き板、濾紙、不織布等であり、焼結体であれば、アルミナ、ジルコニア、窒化アルミニウム、炭化ケイ素、窒化ケイ素、フォルステライト、ステアタイト、コージライト、サイアロン、マシナブルセラミックス、ジルコン、チタン酸バリウム、チタン酸ジルコン酸鉛、フェライト、ムライト等のセラミックスが好ましく、より好ましくは容器本体２内部に収納される液体薬剤の滴下液量を一定とする為、ポア径が１〜５μｍと成型されたセラミックスであり、さらに好ましくはポア径が２〜３μｍに成型されたセラミックスである。また、滴下液量を一定とする為、ポア径では無く、滴下箇所表面積にて制限しても良く、滴下箇所表面積を５０〜１００ｍｍ２と成型されたセラミックスであり、さらに好ましくは滴下箇所表面積が７０〜９０ｍｍ２に成型されたセラミックスである。
【００２２】排出口４内部で、閉塞手段５と滴下手段７の間に設置されるアイキャッチ６の素材は、容器本体２内部に収納される液体薬剤よりも比重が軽い素材であれば良く、好ましくはシクロオレフィン、ＰＰ、ＰＥ等のポレオレフィン製であり、より好ましくは容器本体２内部に収納される液体薬剤の色に対して、対象色に着色されたポリオレフィン製の成型品である。
【００２３】前記容器本体２に使用される素材は、容器本体２内部に収容される液体薬剤により、プラスチックシートは多層にされても良く、液体薬剤に要求される場合には、シクロオレフィン、ＰＶＤＣ、ＥＶＯＨ、ＣＯＰ、ＮＹ、Ａｌ等のバリア材を積層されたプラスチックシートを使用する事も出来る。より好ましくはプラスチックシート全体の構成中ポリオレフィンを０〜９０％としたプラスチックシートである。
【００２４】上記の様に構成した前記のものの作用について説明する。
まず、容器本体２をに液体充填箇所、上部に懸垂口３、排出口４を溶着するために下部に開口した形状に形成するよう熱シールされる。
【００２５】次に、容器本体２内部に揮散性の液体薬剤、例えば液体芳香剤、液体消臭剤、液体防虫剤、液体殺虫剤、液体殺菌剤等の液体薬剤を貯留する。そして液体充填箇所を封止する。
【００２６】排出口４を成型した後、滴下手段７を成型し、排出口４に滴下手段７を封入し、アイキャッチ６を排出口４内に設置する。その後プラスチックシートと、排出口４とを容易に開封出来る強度に溶着することで閉塞手段５を形成する。
【００２７】そして容器本体２下部に開口された箇所に排出口４を熱溶着し、液体薬剤揮散取り替え容器１として製造される。
【００２８】液体薬剤揮散取り替え容器１の梱包手段としては、外装袋等を用いて行われる。外装袋の素材としては、プラスチックシート、紙等を用いる事が好ましく、シクロオレフィン、ＰＰ、ＰＥ、ＰＥＴ、ＮＹ、塩ビ、ＥＶＡ等の素材を用いる事がより好ましい。
【００２９】このような状態で輸送、陳列される。そして使用時には、外装袋から液体薬剤揮散取り替え容器１を取出し、容器本体２の中央部等を押し、容器本体２内部に圧力を与える事で、容易に閉塞手段５を開通する。その後フック等の吊り下げ手段に懸垂口３を使用して、液体薬剤揮散取り替え容器を設置する。これにより内容されている液体薬剤が滴下手段７に達し、直ちに滴下を開始する。
【００３０】また、前記のように構成した場合、アイキャッチ６は使用前に開封しているかどうかのチェック機構としても働く。仮に使用前に開封している場合、液体薬剤中にアイキャッチ６が浮遊しており、使用をする前に判断することが可能となりいたずら防止機構として働く。アイキャッチ６は通常使用時においては残液の目安となり、液体薬剤揮散取り替え容器１の取り替え時期を判断する材料となる。
【００３１】さらに、液体薬剤容器２に印刷、あるいはラベル貼付け等の手段により目盛を施す事により、使用時期、取り替え時期はさらに明確となり、使用に簡便を図る事が出来る。
【００３２】この発明による液体薬剤揮散取り替え容器１の第２の実施の形態にあっては、容器本体２は液体不透過性素材であり、排出口４と、滴下手段７で構成されている。
【００３３】容器本体２は内部に収納される液体薬剤に対し不透過な素材により、上部に懸垂口３を設け、下部が開口した形状に形成するよう熱シールされている。容器本体２の素材としては、金属、ガラス、陶器、及びこれらの内面に樹脂コートしたもの、プラスチック等を用いることができる。好ましい素材としてはシクロオレフィン、ＰＰ、ＰＥ、ＰＥＴ、ＮＹ、塩ビ、ＥＶＡ等であり、より好ましくは透明性が高いシクロオレフィン、ＰＰ、ＰＥ等のポリオレフィン製であり、各種材料を積層したもの等のプラスチックシートである。
【００３４】排出口４は容器本体２内部に収納される液体薬剤を排出するための部材であり、容器本体２下部に形成された開口部に熱溶着される。排出口４の素材としては、容器本体２の内面と同様の素材が好ましく、プラスチック等を用いる事が出来る。好ましい素材としてはシクロオレフィン、ＰＰ、ＰＥ、ＥＶＡ等であり、より好ましくは弾性率が高いシクロオレフィン、ＰＰ、ＰＥ等のポリオレフィン製であり、各種材料を積層した成型品を用いる事も出来る。
【００３５】容器本体２内部に設置される閉塞手段５は、容器本体２の外周部を熱シールすると同時に、又は前後に容易に開封する程度に溶着され隔壁を形成する。溶着される強度は容易に開封できる強度であることが望ましく、１〜１０Ｎ／１５ｍｍ（１Ｋｇ／１５ｍｍ巾＝９．８Ｎ／１５ｍｍ）が好ましく、より好ましくは２〜５Ｎ／１５ｍｍの強度で溶着されている事が望ましい。
【００３６】排出口４先端部に封入される滴下手段７は、滴下手段７を成型後、排出口４に嵌合させることで形成しても良いが、より好ましくは排出口４に、成型された滴下手段７をインサート成型させることで形成する。インサート成型される事で滴下手段７が脱落する危険性を回避する事が可能になる。
【００３７】滴下手段７に用いられる素材は、容器本体２内部に収納される液体薬剤の液下液量が一定となる素材であれば限定されないが、例えば多孔性樹脂、焼き板、濾紙、不織布等であり、焼結体であれば、アルミナ、ジルコニア、窒化アルミニウム、炭化ケイ素、窒化ケイ素、フォルステライト、ステアタイト、コージライト、サイアロン、マシナブルセラミックス、ジルコン、チタン酸バリウム、チタン酸ジルコン酸鉛、フェライト、ムライト等のセラミックスが好ましく、より好ましくは容器本体２内部に収納される液体薬剤の滴下液量を一定とする為、ポア径が１〜５μｍと成型されたセラミックスであり、さらに好ましくはポア径が２〜３μｍに成型されたセラミックスである。また、滴下液量を一定とする為、ポア径では無く、滴下箇所表面積にて制限しても良く、滴下箇所表面積を５０〜１００ｍｍ２と成型されたセラミックスであり、さらに好ましくは滴下箇所表面積が７０〜９０ｍｍ２に成型されたセラミックスである。
【００３８】排出口４内部で、閉塞手段５と滴下手段７の間に設置されるアイキャッチ６の素材は、容器本体２内部に収納される液体薬剤よりも比重が軽い素材であれば良く、好ましくはシクロオレフィン、ＰＰ、ＰＥ等のポリオレフィン製であり、より好ましくは容器本体２内部に収納される液体薬剤の色に対して、対象色に着色されたポリオレフィン製の成型品である。
【００３９】前記容器本体２に使用される素材は、容器本体２内部に収容される液体薬剤により、プラスチックシートは多層にされても良く、液体薬剤に要求される場合には、シクロオレフィン、ＰＶＤＣ、ＥＶＯＨ、ＣＯＰ、ＮＹ、Ａｌ等のバリア材を積層されたプラスチックシートを使用する事も出来る。より好ましくはプラスチックシート全体の構成中ポリオレフィンを０〜９０％としたプラスチックシートである。
【００４０】上記の様に構成した前記のものの作用について説明する。
まず、容器本体２をに液体充填箇所、上部に懸垂口３、排出口４を溶着するために下部に開口した形状に形成するよう熱シールされる。
【００４１】容器本体２外周シールと同時か、又は前後に閉塞手段５を容易に開封出来る強度に溶着し、隔壁として形成する。
【００４２】次に、容器本体２内部に揮散性の液体薬剤、例えば液体芳香剤、液体消臭剤、液体防虫剤、液体殺虫剤、液体殺菌剤等の液体薬剤を貯留する。そして液体充填箇所を封止する。
【００４３】排出口４を成型した後、滴下手段７を成型し、排出口４に滴下手段７を封入し、アイキャッチ６を排出口４内に設置する。
【００４４】そして容器本体２下部に開口された箇所に排出口４を熱溶着し、液体薬剤揮散取り替え容器１として製造される。
【００４５】液体薬剤揮散取り替え容器１の梱包手段としては、外装袋等を用いて行われる。外装袋の素材としては、プラスチックシート、紙等を用いる事が好ましく、シクロオレフィン、ＰＰ、ＰＥ、ＰＥＴ、ＮＹ、塩ビ、ＥＶＡ等の素材を用いる事がより好ましい。
【００４６】このような状態で輸送、陳列される。そして使用時には、外装袋から液体薬剤揮散取り替え容器１を取出し、容器本体２の中央部等を押し、容器本体２内部に圧力を与える事で、容易に閉塞手段５を開通する。その後フック等の吊り下げ手段に懸垂口３を使用して、液体薬剤揮散取り替え容器を設置する。これにより内容されている液体薬剤が滴下手段７に達し、直ちに滴下を開始する。
【００４７】また、前記のように構成した場合、アイキャッチ６は使用前に開封しているかどうかのチェック機構としても働く。仮に使用前に開封している場合、液体薬剤中にアイキャッチ６が浮遊しており、使用をする前に判断することが可能となりいたずら防止機構として働く。アイキャッチ６は通常使用時においては残液の目安となり、液体薬剤揮散取り替え容器１の取り替え時期を判断する材料となる。
【００４８】さらに、液体薬剤容器２に印刷、あるいはラベル貼付け等の手段により目盛を施す事により、使用時期、取り替え時期はさらに明確となり、使用に簡便を図る事が出来る。
【００４９】なお、前記各実施の形態においては容器本体２内部に揮散性の液体薬剤、例えば液体芳香剤、液体消臭剤、液体防虫剤、液体殺虫剤、液体殺菌剤、液体忌避剤等の液体薬剤を貯留した場合について説明したが、例えば、容器本体２の内部に単に水を入れて水を蒸発することにより、この容器本体２を食器棚や陳列棚に配置して湿度の調整を図る「調湿剤容器」としても良いものである。
【００５０】また、本発明による実施の形態は前述の液体薬剤揮散取り替え容器の第１、乃至２の実施の形態に限られるものでは無い。
【発明の効果】
【００５１】この発明は前記のように構成したことにより、使用開始時には従来の煩わしい操作の必要が無い。液体薬剤容器の排出口に滴下手段が封入されているため、閉塞手段を開封することで、直ちに滴下を開始することができる。
【００５２】また、従来の製品と比べ極端に構成部材が少なく出来たことにより、製造の簡易化及び使用の簡便化が図れると共に、製造コストを低下させることができ、これによって使用者に安価な商品を提供することができる。
【００５３】さらに、液体薬剤容器に使用するプラスチックシートの種類を選択することで容器本体に貯留した薬剤に適切な容器設計を図ることができ、滴下手段のポア径を選択することで使用目的に応じた滴下量とすることができる。
【００５４】使用方法を吊り下げ式としたこと、アイキャッチの設置、かつ液体容器の透明性を高める事が可能な設計としたことにより、従来の製品と比べると使用状況、取り替え時期への認識を高める事ができる。
【００５５】アイキャッチの設置を行った事により、使用前に開封されているかどうかを簡易に確認する事が可能となり、またいたずら防止機構としても働く
【００５６】上記効果に加え、構成部材を少なくできた事により、廃棄時のロス低減。環境負荷低減等の効果を有している。
【図面の簡単な説明】
【図１】本発明の液体薬剤揮散容器の第１の実施の形態を示す全体概略図。
【図２】本発明の液体薬剤揮散容器の第２の実施の形態を示す全体概略図。
【符号の説明】１・・・・・・液体薬剤揮散取り替え容器
２・・・・・・容器本体
３・・・・・・懸垂口
４・・・・・・排出口
５・・・・・・閉塞手段
６・・・・・・アイキャッチ
７・・・・・・滴下手段
【図１】
2015066409.tif 000003
【図２】
2015066409.tif 000004